Podtech/llm-jp-corpus-v4-ja_patent huggingface dataset:
(57)【要約】【課題】安全かつ迅速に汁物を器に注ぐことができる調理用具を提供する。【解決手段】汁物をすくうおたま杓子の、皿のふち４分の３の範囲に土手を設け、すくった汁物が波打ってもこぼすことなく迅速に器に注ぐことができることができるおたま杓子。【選択図】図１
2011005200.tif 000002
【特許請求の範囲】
【請求項１】
汁物をすくう杓子の、柄の先の皿の部分であって、杓子のふちの約４分の３を若干高くして、汁物をこぼしにくくした土手を設けたことを特徴とする調理器具。
【発明の詳細な説明】
【技術分野】
【０００１】本発明は、汁物をすくう杓子の、柄の先皿部分のふち４分の３の範囲を若干高くして土手を設け、汁物がこぼれにくく、素早くきれいになおかつ安全に作業できる調理用具に関するものである。
【背景技術】
【０００２】従来、注ぎ口は付いていたものの、ふちはみな同じ高さの杓子があった。
【発明の開示】
【発明が解決しようとする課題】
【０００３】それには次のような問題点があった。
汁物をすくって器に注ぐ際、中の汁物が波打ってこぼれてしまう。そのため、器を汚したり、熱い汁でやけどをすることもある。作業を慎重に行えば、なかなか作業がはかどらないという難点があった。
本発明は、これらの問題を解決するためになされたものである。
【課題を解決するための手段】
【０００４】調理用具である杓子の、柄の先に設けられている皿のふち部分の４分の３の範囲を若干高くして土手を設ける。以上を特徴とする汁物用のおたま杓子状の調理器具である。
【発明の効果】
【０００５】この土手付きおたま杓子を使用すれば、汁物をすくって器に注ぐ際、中の汁物が多少波を打ってもこぼれない。そのため、熱いものを熱いうちに、しかも安全に短時間で作業ができる。
【発明を実施するための最良の形態】
【０００６】以下、本発明の実施の形態について説明する。
（イ）手で持って作業するための柄（１）の先に、汁物をすくうための皿（２）を設ける。
（ウ）皿（２）のふちの４分の１を除き、４分の３の範囲を若干高くして土手を設ける。その４分の３の範囲とは、柄の接着点を１２時とすると時計回りに６時から３時までの範囲である。
本発明は以上のような構造で、これを使用するときは、柄（１）を持ち、皿（２）で汁物をすくい器に注ぐ。
皿（２）ですくった汁物は、土手が設けられていない４分の１部分のふちまでしか入らない。そのため、皿（２）いっぱいに汁物をすくったとしても、土手が設けられた４分の３部分のふちからあふれることはほとんどない。作業を急いで、中の汁物が波打ったとしてもこぼれにくい。
したがって、安全かつ迅速に作業を行うことができる。
【図面の簡単な説明】
【０００７】
【図１】本発明の斜視図
【図２】本発明の真上図
【図３】本発明の要部断面図
【符号の説明】
【０００８】  １  柄
２  皿
【図１】
2011005200.tif 000003
【図２】
2011005200.tif 000004
【図３】
2011005200.tif 000005
(57)【要約】【課題】風呂ブタに顔と首と手を出す穴の開いている風呂ブタで、サウナ効果とスチーム効果を風呂の湯気により期待したもの。【解決手段】風呂ブタに三ヶ所の穴を開ける。【選択図】図１
2011005198.tif 000002
【特許請求の範囲】
【請求項１】
風呂蓋に、首と手を出すためのスライド式閉開部と、同じく顔を入れるためのスライド式閉開部を設けたサウナ兼顔面スチームが可能な風呂蓋
【発明の詳細な説明】
【技術分野】
【０００１】この発明は風呂蓋の一部にスライド式閉開部を設けた風呂蓋に関するものである。
【背景技術】
【０００２】  従来、サウナや顔面スチームを風呂蓋を用いて行うことはなかった
【発明の開示】
【発明が解決しようとする課題】
【０００３】従来、サウナを行うには専門店に行かねばならず、顔面スチームも専用の家庭用機械かエステ店に行かないと行うことは不可能であった。本発明は以上のような場所に出向いたりお金を使うことなく、手軽に家庭のお風呂場でサウナやスチームを行うためになされたものである。
【議題を解決するための手段】
【０００４】  風呂蓋は数枚の板により構成されている。一枚の板の端にスライド式閉開部首と両手用の三ヶ所設ける。またもう一枚には顔を入れるための穴を同じくスライド式閉開で設ける。
【発明の効果】
【０００５】首と両手用の穴から首と両手だけ出し、その他の板を風呂桶に置いた状態で使用することにより、熱が外に逃げず、サウナと同じ効果が得られる。風呂桶を机のように使えば、手が自由に使えるので、読書したりなども可能である。また、顔用の穴の開いている板を自分の手前に置き、顔を入れれば、お風呂の湯気が顔に当たり、顔用スチーマーと同じ効果が得られる。これらは気分によって選択可能であり、数枚の板に分けたのはその為である。また、スライド式にすることにより、体型の差によって自分で穴の大きさを調節可能であり、また閉めれば通常の風呂蓋としての用途で使用できる。またスペースの取り方も従来の風呂蓋と変わりはない。電気を使わず、保温効果も高いため、省エネにもなる。
【発明を実施するための最良の形態】
【０００６】以下、本発明を実施するための最良の形態について説明する。
風呂蓋は数枚の板により構成されている。一枚の板の端にスライド式閉開部首と両手用の三ヶ所設ける。またもう一枚には顔を入れるための丸い穴を同じくスライド式閉開で設ける。
これを使用するときは、まずサウナとして使用する場合、首用の穴から首だけ出し（両手を自由に使いたい場合は両手用の穴から両手をだす）、余った二枚の板は本来の風呂蓋の使い方同様風呂桶の上にかぶせる。風呂桶に蓋をしている状態でお湯に浸かれるので高い保温効果が期待でき、サウナ同様の効果が得られる。顔用スチームとして利用するときは、顔を入れるための穴の開いてる方の板を体の近くに置き、穴に顔を入れれば、お風呂の湯気が顔に当たり、スチーマーと同じ効果が得られる。
【図面の簡単な説明】
【０００７】
【図１】  本発明の平面図である
【符号の説明】
【０００８】  １  風呂蓋
２  スライド式閉開部首用
３  スライド式閉開部両手用
４  スライド式閉開部顔用
【図１】
2011005198.tif 000003
(57)【要約】【課題】  綿棒の棒部分が変形でき、綿部分が平型であることで当たる面のバリエーションの多い綿棒を提供する。【解決手段】  棒部分に変形できる素材を用い、綿を平型にする【選択図】図２
2011005197.tif 000002
【特許請求の範囲】
【請求項１】
棒材の両端の綿部が平型で、棒材には湾曲可能な素材を使用し、形を自由に変えられる綿棒
【発明の詳細な説明】
【技術分野】
【０００１】この発明は、綿棒の綿部の形を平型にし、棒材に形状変化可能な素材を使用した綿棒に関するものである
【背景技術】
【０００２】従来、綿棒の綿部の形は楕円形であり、棒材は形状変化不可能であった
【発明の開示】
【発明が解決しようとする課題】
【０００３】従来綿棒の棒部分は形状変化不可能であり、両端の綿と綿を挟み込んで使用するといったことは不可能であった。
また、従来、綿棒の綿部は楕円形であり、形じょう使用するときの肌に当たる面は球型になるが、この形は横も縦も同じ大きさで当たることになり、例えば細長く塗るとか、横と縦の長さに違いがあるときに不便である。また角度の変化による当たる面の形のバリエーションが狭い。
【議題を解決するための手段】
【０００４】棒材の両端の綿部を平型にし、棒材には形状変化可能な材質を使用する。
本発明は以上の構成よりなる平型形状変化可能綿棒である。
【発明の効果】
【０００５】棒材に形状変化可能な材質を使用しているため、Ｕ字型に曲げれば、両端の綿部と綿部で挟み込んで使用することが可能である。また、挟み込んで使用するときに、綿が平型のため、一番面の広い平たい部分で挟むようになるため挟み込みやすい。
【発明を実施するための最良の形態】
【０００６】以下、本発明を実施するための最良の形態について説明する。
綿棒の棒部分には形状変化可能な材質（針金など）を使用する。
両端の綿部分は平型であり、先端にすすむに従い綿の量を減らし、使用する際の形のバリエーションを増やす。
本発明は以上のような構造である。
これを使用するときは、例えばアイメイクでアイラインを引くときなど、平型の先端部分の形状が目の淵の形に合っていてとても使いやすいし、まつげのふちにまつげ用美容液を塗るときなども便利であるし、また、先端部分が一番綿の毛量が少ない構造であるため、美容液の減りを防止できる。ネイルの修正なども、爪のふちは細長い形をしているため、平型の先端部分の形は従来の球型綿棒より修正しやすいであろう。また、棒部が形状変化可能なため、例えばマスカラを落とす際、Ｕ字型に曲げ、綿部にクレンジング液を付け、両端の綿部と綿部でまつげを挟み込めば、落としやすい。その際に平型の綿の広い部分でまつげを包むため、まつげに均等にクレンジング液をつけることが可能である。
【図面の簡単な説明】
【０００７】
【図１】本発明の平面図である
【図２】本発明の側面図である
【符号の説明】
【０００８】１  綿部
２  棒部
【図１】
2011005197.tif 000003
【図２】
2011005197.tif 000004
(57)【要約】      （修正有）【課題】洗濯物の掛け外しに負担をかけず、身長のバラツキにより作業しにくくなっている洗濯物の掛け外しを楽にする為に適度な位置まで支柱を上下に動かし固定できるパラソルハンガーを提供する。【解決手段】筒1の上部と筒２の底部にねじ５を用いて弾性部材４を固定し伸縮機能を持たせる。筒２を回転させ、筒２のくりぬき部に筒１の突起物６を引っ掛け固定することにより、自在に支柱９の長さを調節できるようにすることを特徴とする。【選択図】図２
2011005059.tif 000002
【特許請求の範囲】
【請求項１】
弾性素材を支柱の中に用いることで伸縮することができ、筒２を回転させた時、筒１の突起物６が、筒２のくりぬき部８に引っ掛かり高さ調整が容易にできることを特徴とするパラソルハンガー
【発明の詳細な説明】
【技術分野】
【０００１】
本発明は、生活雑貨の洗濯用品に使用されるハンガーに関する。
【背景技術】
【０００２】
従来ハンガーは、その形状に様々な形、デザインを凝らした製品が生産、使用されている。しかしながら、支柱が伸縮し、高さを調整できるハンガーがない。
【０００３】
ハンガーの支柱は単に物干し竿に引っ掛け固定することである。支柱事体に、自由に位置を決める機能を有するものではない。
【先行技術文献】
【特許文献】
【０００４】
【特許文献１】特開２００７−１５９６８７号公報
【発明の概要】
【発明が解決しようとする課題】
【０００５】
上述の如く、従来技術に係るハンガーの支柱は固定され長さが決まっているので、一般家庭間で用いると高齢者の五十肩等による負担又は、身長のバラツキによりハンガーの使用が苦になってしまう。
【０００６】
本発明は、このような点に鑑みて成されたものであり、その目的はハンガーの支柱部に伸縮機能を持たせることで、身長のバラツキに制限されることなくハンガーを使用することができるようになることである。
【課題を解決するための手段】
【０００７】
上述の目的を達成する本発明のハンガーは、支柱を有するハンガーであって内部に弾性素材を使用したことを特徴とする。
【発明の効果】
【０００８】
以上説明したように、本発明によれば支柱に筒大、筒小を用い筒小の内部に弾性素材を取り付け、上下運動をできるようにして、筒大を回転させることで筒小の突起物を筒大のくりぬき部にひっかけ伸縮を自在に操ることが可能になる。
【０００９】
物干し竿を調整しなくてすむので時間短縮になり、家事がスムーズになる。
【図面の簡単な説明】
【００１０】
【図１】本発明の第一の実施の形態に係るパラソルハンガーの外観斜視図である。
【図２】図１のパラソルハンガーの中央部の縦断図である。
【図３】図１の支柱部分の外観図である。
【発明を実施するための形態】
【００１１】
以下、本発明の実施の形態を図面に基づき詳細に説明する。
【実施例１】
【００１２】
図1〜３は本発明の第一の実施の形態に係り、図１はその外観斜視図、図２はその中央部の縦断図、図３はその支柱の外観図である。
【００１３】
図２に示すようにパラソルハンガーは、筒１の中に弾性部材４をねじ５にて固定されたものである。
【産業上の利用可能性】
【００１４】
本発明は洗濯用品のハンガーに関するものである。
【符号の説明】
【００１５】
１    筒小
２    筒大
３    フック
４    弾性部材
５    ねじ
６    突起物
７    基台
８    くりぬき部
９    支柱
【図１】
2011005059.tif 000003
【図２】
2011005059.tif 000004
【図３】
2011005059.tif 000005
(57)【要約】【課題】アルミインゴットのスタッキング装置に使用されているインゴット積み上げ装置は掴み部の爪のリンク式機構により、インゴットを的確に掴むことに欠けていた。更に積み上げの際、０度・９０度のみの２方向回転により積み上げ形状にズレが生じることがあった。【解決手段】積み上げ装置の掴み部の爪をシリンダー２による水平開閉方式にし、スムーズで正確な掴み動作が可能。また、０度・９０度・１８０度・２７０度の４方向回転方式により井桁状にインゴットをズレ無く積み上げることが出来る。【選択図】図１
2011005622.tif 000002
【特許請求の範囲】
【請求項１】
インゴット掴み部の爪をシリンダーによる水平開閉方式にすることを特徴とするアルミインゴット掴み手首
【請求項２】
インゴット掴み手首本体を産業用ロボットのサーボモーターに設置することで４方向回転方式にすることを特徴とする請求項１記載のアルミインゴット掴み手首。
【発明の詳細な説明】
【技術分野】
【０００１】  この発明は、アルミインゴットのスタッキング装置の掴み手首本体に関する。
【背景技術】
【０００２】  従来のスタッキング装置のインゴット掴み手首本体はインゴットを積み上げる際、リンク式掴み機構と２方向の回転のみにより積み上げでズレが生じていたものである。
【発明の概要】
【発明が解決しようとする課題】
【０００３】  しかしながら、以上の技術によれば、インゴットを掴む時に正確さを欠く上、２方向のみの積み上げでは均一で綺麗に積み上げることが出来ず、ズレが生じることも多かった。
そこで、この発明は、ロボットのインゴット掴み部の爪をスライド式掴み機構とし、かつ手首部本体を４方向に回転させることにより均一でバランス良くインゴットを積み上げることが出来るスタッキング装置の掴み手首本体を提供することを課題とする。
【課題を解決するための手段】
【０００４】  以上の課題を解決するために、第一発明は、インゴット掴み部の爪をスライド式にした掴み機構を特徴とするインゴット掴み手首本体である。
また、第二発明は、インゴットを掴んだ際に手首本体を４方向に回転することを特徴とするインゴット掴み手首本体である。
【発明の効果】
【０００５】  第一発明、または第二発明によれば、手首本体掴み部の爪をスライド式掴みと手首本体を４方向回転にすることにより、インゴットの積み上げをズレが生じる事無く均一で綺麗な形状にすることが可能になる。
【図面の簡単な説明】
【０００６】
【図１】この発明の一実施形態を示す平面図と正面図である。
【図２】従来技術を示す正面図である。
【発明を実施するための形態】
【０００７】  この発明の一実施形態を、図１に示す。
インゴット掴み手首本体１にシリンダー２による水平開閉式のインゴット掴み部の爪３を設けている。シリンダー２が前後することで爪が水平に開閉し、インゴットを両端から挟み込む様に掴む。手首本体１を産業用ロボットのサーボモーター４に設置することで、０度・９０度・１８０度・２７０度の４方向の回転が可能となる。
【０００８】「実施形態の効果」
この実施形態によれば、掴み部分の爪が水平に開閉することでインゴットを両端より正確に掴み取ることが出来る。掴み取ったインゴットを４方向回転方式で井桁状に積み上げることで均一で綺麗な積み上げ形状にすることが出来る。
「他の実施形態」
図１の実施形態では、シリンダー２が掴み部の爪上部に設置されているが他の実施形態では、左右の掴み部爪横に設置したものでも良い。
【符号の説明】
【０００９】１  インゴット掴み手首本体              ２  シリンダー
３  インゴット掴み部（爪）              ４  サーボモーター
【図１】
2011005622.tif 000003
【図２】
2011005622.tif 000004
(57)【要約】【技術課題】  ３Ｄプリンタで造形された造形物からサポート材を除去する装置において、洗浄水を使用せず、低コストにより能率的にサポート材を除去し、かつ作業に経験を必要としない。【解決手段】  ３Ｄプリンタで造形された造形物２を珪酸塩と燐酸塩及び水から成る処理液１ａを満した処理槽１内に浸漬し、化学力によりサポート材を除去する。この結果、低コストにより能率良くサポート材を除去することができると共に作業に経験を必要としない。また、洗浄水を使用しないため水資源の保護にも有効である。【選択図】図１
2011005667.tif 000002
【特許請求の範囲】
【請求項１】
サポート材処理液を満した処理槽内に３Ｄプリンタで造形された造形物を収容し、化学力により前記造形物からサポート材を除去するように構成して成るサポート材除去装置。
【請求項２】
前記処理液を撹拌するための撹拌手段を前記処理槽内に組み付けて成る請求項１に記載のサポート材除去装置。
【請求項３】
前記処理液を温調するための温調手段を前記処理槽内に組み付けて成る請求項１に記載のサポート材除去装置。
【請求項４】
前記処理液は、珪酸塩５〜１０重量％、燐酸塩２〜５重量％、水８５〜９５重量％から成ることを特徴とする請求項１に記載のサポート除去装置。
【発明の詳細な説明】
【技術分野】
【０００１】
本発明は、３Ｄプリンタで造形された造形物からサポート材を除去する装置に関する。
【背景技術】
【０００２】
３Ｄプリンタ（特開２００８−３０２７０１）で造形された造形物からウォータージェット水を用いて行うサポート材の除去方式においては、洗浄水を大量に消費すると共に排水を化学剤等により中和処理してから排水しているためコストがかかり、更に作業には手間と時間がかかると共に経験を必要としていた。
【０００３】
特に大量に洗浄水を消費するために水資源を浪費するという問題があった。
【先行技術文献】
【特許文献】
【０００４】
【特許文献１】特開２００８−３０２７０１公報
【発明の概要】
【発明が解決しようとする課題】
【０００５】
本発明は斯る点に鑑みて提供されるものであって、その目的は、サポート材の除去に手間と時間がかからず、経験を必要とせず、更に水資源を大切にすることが可能なサポート材除去装置を提供することである。
【課題を解決するための手段】
【０００６】
上記目的を達成するため、請求項１に記載の発明は、サポート材除去装置において、サポート材処理液を満した処理槽内に３Ｄプリンタで造形された造形物を収容し、化学力により前記造形物からサポート材を除去するように構成して成ることを特徴とするものである。
【０００７】
また、請求項２に記載の発明は、請求項１に記載のサポート材除去装置において、前記処理液を撹拌するための撹拌手段を前記処理槽内に組み付けて成ることを特徴とするものである。
【０００８】
この発明によると、化学力により造形物からのサポート材の分離を促進させて除去効率を向上させることができる。
【０００９】
また、請求項３に記載の発明は、請求項１に記載のサポート材除去装置において、前記処理液を温調するための温調手段を前記処理槽内に組み付けて成ることを特徴とするものである。
【００１０】
この発明によると、処理液の温度を造形物からのサポート材を分離するために最適な温度に制御して除去効率を高めることができる。
【００１１】
また、請求項４に記載の発明は、請求項１に記載のサポート材除去装置において、前記処理液は、珪酸塩５〜１０重量％、燐酸塩２〜５重量％、水８５〜９５重量％から成ることを特徴とするものである。
【発明の効果】
【００１２】
本発明によると、３Ｄプリンタで造形された造形物から化学力によりサポート材を除去するため、手間と時間がかからず、然も経験を必要としない。また、大量の洗浄水を消費しないため、水資源の保護に有効である。
【図面の簡単な説明】
【００１３】
【図１】本発明に係る化学力を利用したサポート材除去装置の説明図である。
【実施例】
【００１４】
図１において、１は処理槽であって、この中には３Ｄプリンタにより造形された造形物２が入れられており、この造形物２に付着したサポート材は、処理液１ａの化学力により除去される。処理液としては、珪酸塩５〜１０重量％、燐酸塩２〜５重量％、水８５〜９５重量％の比重で混合されたものが有効であり、好ましくは珪酸８重量％、燐酸塩４重量％、水８８重量％である。
【００１５】
３は処理液１ａを温調するために処理槽１内底部に組み付けられた温調手段であって、熱源機５により造形物２に悪影響が出ず、かつ効率的にサポート材を除去することができる温度、例えば１０℃〜３５℃に処理液の温度を自動制御する。
【００１６】
４は処理槽１内に組み付けられた撹拌翼であって、処理液を撹拌することにより除去の効率を高めている。
【００１７】
なお、この撹拌作用によっても除去しにくい造形物、例えば微小な小孔スリット内にサポート材が付着している場合には、化学力で除去したあとで、吸引ノズルにより吸引して除去する方法を併用する。
【００１８】
６は処理液１ａを処理槽１内に供給するための供給ライン、７は処理液１ａの排出ラインである。
【図１】
2011005667.tif 000003
(57)【要約】【技術課題】  ウォータージェット水により造形物に付着したサポート材を除去する装置において、節水を図り、経費の削減を図る。【解決手段】  ３Ｄプリンターで造形された造形物からサポート材をウォータージェットを用いて除去する装置において、前記造形物２に向けてノズル３、４より噴射させたウォータージェット水を処理室１内から回収ライン９を介して回収し、この回収した水からサポート材を含む不純物を除去し、再び前記ウォータージェットノズル３、４へ供給してサポート材の除去に用いる。このようにすることで、節水による水資源の保護とサポート材除去経費の削減を図ることができる。【選択図】図１
2011005666.tif 000002
【特許請求の範囲】
【請求項１】
３Ｄプリンターで造形された造形物からウォータージェット水を用いてサポート材を除去する装置において、前記造形物に向けてノズルより噴射させたウォータージェット水を処理室内から回収し、この回収したウォータージェット水中からサポート材を含む不純物を除去し、再び前記ウォータージェットノズルへ供給してサポート材の除去に用いる循環式サポート材除去装置。
【請求項２】
前記ウォータージェット水には洗浄効果を高めるための化学剤が混合されていることを特徴とする請求項１に記載の循環式サポート材除去装置。
【請求項３】
前記ウォータージェット水を温調してノズルへ供給するように構成して成る請求項１に記載の循環式サポート材除去装置。    
【発明の詳細な説明】
【技術分野】
【０００１】
本発明は、３Ｄプリンタで造形された造形物からウォータージェット水を用いてサポート材を除去する装置に関する。
【背景技術】
【０００２】
３Ｄプリンタ（特開２００８−３０２７０１）で造形された造形物からウォータージェット水を用いて行うサポート材の除去においては、大量に水を消費すると共に使用済の水をそのまま又は化学剤等により中和処理してから排水している。
【０００３】
このため、消費するウォータージェット水の量が増大して、経費が嵩み、また水資源を浪費するという問題があった。
【先行技術文献】
【特許文献】
【０００４】
【特許文献１】特開２００８−３０２７０１号公報
【発明の概要】
【発明が解決しようとする課題】
【０００５】
本発明は斯る点に鑑みて提供されるものであって、その目的は、節水により水資源の保護を図る循環式サポート材除去装置を提供することである。
【課題を解決するための手段】
【０００６】
上記目的を達成するため、請求項１に記載の発明は、３Ｄプリンタで造形された造形物からサポート材をウォータージェット水を用いて除去する装置において、前記造形物に向けてノズルより噴射させたウォータージェット水を処理室内から回収し、この回収したウォータージェット水中からサポート材を含む不純物を除去し、再び前記ウォータージェットノズルへ供給してサポート材の除去に用いることを特徴とするものである。
【０００７】
また、請求項２に記載の発明は、請求項１に記載のサポート材除去装置において、前記ウォータージェット水には洗浄効果を高めるための化学剤が混合されていることを特徴とするものである。
【０００８】
この発明によると、化学力により造形物からのサポート材の分離を促進させて除去効率を向上させることができる。
【０００９】
また、請求項３に記載の発明は、請求項１に記載のサポート材除去装置において、前記ウォータージェット水を温調してノズルへ供給するように構成して成ることを特徴とするものである。
【００１０】
この発明によると、造形物に悪影響が発生するのを防止することができる。
【発明の効果】
【００１１】
本発明によると、３Ｄプリンタで造形された造形物からサポート材を除去したウォータージェット水を再循環して利用するため、節水効果による水資源の保護を図ることができると共に洗浄コストの削減が可能となる。
【図面の簡単な説明】
【００１２】
【図１】本発明に係るウォータージェット水の再循環装置を付加したサポート材除去装置の説明図である。
【実施例】
【００１３】
図１において、１は処理室であって、この中には３Ｄプリンタにより造形された造形物２が入れられており、この造形物２に付着したサポート材は、ウォータージェットノズルとしてのスプレーノズル３とジェットノズル４の使い分けにより除去される。
【００１４】
５は前記スプレーノズル３とジェットノズル４へ高圧水を供給するためのポンプであって、このポンプ５により加圧されたウォータージェット水はライン６を経由して前記ノズル３、４へと供給される。
【００１５】
７はポンプ５が収容された水室であって、この水室７には給水ライン８から給水を行うことができる。
【００１６】
９は処理室１内からウォータージェット排水を回収するための回収ラインであって、この回収ライン９はフィルター１０及び回収ポンプ１１を経由して前記水室７へと結ばれている。
【００１７】
１２はバルブ１３により切り替えて排水を行うための排水ライン、１４は温調装置であって、昇温した水室７内のウォータージェット水温を一定に維持するように図示しない制御回路で制御される。
【００１８】
本発明に係るサポート材除去装置は以上の構成から成り、ポンプ５で加圧されたウォータージェット水は、ライン６からノズル３、４へと供給される。処理室１内では、このノズル３、４を片手に持ち、造形物２に向けて噴射してサポート材を除去する。
【００１９】
処理室１内に放出されたウォータージェット水は、回収ライン８から回収ポンプ１１を経由して回収される過程で、フィルター１０で不純物が除去されたのち、水室７内へ送り込まれ、再利用に供される。
【００２０】
そして、再びポンプ５で加圧されてノズル３、４へと供給される。
【００２１】
本実施例のウォータージェット水には、上水が用いられているが、これに、サポート材を軟化して造形物からの分離を促進する化学剤を補助的に混合しても良い（請求項２）。
【００２２】
あるいは、ウォータージェット水を再循環させて使用すると、自然昇温があり、造形物に悪影響が出るため、水温を一定に維持するために調温するようにしてもよい（請求項３）。
【図１】
2011005666.tif 000003
(57)【要約】【技術課題】  ３Ｄプリンタにより造形された造形物に付着したサポート材を効率良く除去し、かつ作業コストの低減と作業に経験を必要としない装置を提供する。【解決手段】  ３Ｄプリンタで造形された造形物を超音波処理槽１内に収容し、超音波振動子３を発振器５で駆動することにより、超音波の力で造形物２からサポート材を除去する。この結果、水を大量に消費しないことに水資源の保護を図ることができると共に作業に手間がかからず、コストの低減が可能であると共に作業に経験を必要としない。【選択図】図１
2011005668.tif 000002
【特許請求の範囲】
【請求項１】
３Ｄプリンタで造形された造形物を超音波処理槽内に浸漬し、造形物に付着しているサポート材を超音波を用いて除去するように構成して成るサポート材除去装置。
【請求項２】
超音波振動子を組み込んで成るサポート材処理槽と、前記超音波振動子を駆動する超音波発振器と、から成る請求項１に記載のサポート材除去装置。
【請求項３】
前記処理槽内に撹拌手段を取り付けて成る請求項１に記載のサポート材除去装置。
【請求項４】
前記処理槽内の液温を温調するための手段を取り付けて成る請求項１に記載のサポート材除去装置。
【発明の詳細な説明】
【技術分野】
【０００１】
本発明は、３Ｄプリンタで造形された造形物からサポート材を除去する装置に関する。
【背景技術】
【０００２】
３Ｄプリンタ（特開２００８−３０２７０１）で造形された造形物からサポート材を除去する方式にはウォータージェット方式が用いられている。
【０００３】
しかし、このウォータージェット方式の場合、大量に水を消費するばかりでなく、手作業のため作業に時間がかかり、コストが嵩むと共に作業には経験が必要であった。
【先行技術文献】
【特許文献】
【０００４】
【特許文献１】特開２００８−３０２７０１号公報
【発明の概要】
【発明が解決しようとする課題】
【０００５】
本発明は斯る点に鑑みて提供されるものであって、その目的は、ウォータージェット方式を止めることにより水資源の保護を図り、併せて経験を要せずして能率的にサポート材の除去を行うことができる装置を提供することである。
【課題を解決するための手段】
【０００６】
上記目的を達成するため、請求項１に記載の発明は、３Ｄプリンタで造形された造形物を超音波処理槽内に浸漬し、造形物に付着しているサポート材を超音波を用いて除去するように構成したことを特徴とするものである。
【０００７】
また、請求項２に記載の発明は、請求項１に記載のサポート材除去装置において、前記超音波振動子を組み込んで成るサポート材処理槽と、前記超音波振動子を駆動する超音波発振器と、から成ることを特徴とするものである。
【０００８】
また、請求項３に記載の発明は、請求項２に記載のサポート材除去装置において、前記処理槽内に撹拌手段を取り付けて成ることを特徴とするものである。
【０００９】
この発明によると、造形物からのサポート材の分離を促進させて除去効率を高めることができる。
【００１０】
また、請求項４に記載の発明は、請求項２に記載のサポート材除去装置において、処理槽内に温調手段を取り付けて成ることを特徴とするものである。
【００１１】
この発明によると、造形物からのサポート材を効率的に除去することができる。
【発明の効果】
【００１２】
本発明によると、超音波を利用して３Ｄプリンタで造形された造形物からサポート材を除去するため、大量の水を消費しないことにより水資源の保護を図り、然も超音波処理槽内に造形物を浸漬しておくだけのため作業に手間がかからず、コストの削減が可能であると共に作業に経験を必要としない。
【図面の簡単な説明】
【００１３】
【図１】本発明に係る超音波式サポート材除去装置の説明図である。
【実施例】
【００１４】
図１において、１は超音波処理槽であって、この中には３Ｄプリンタにより造形された造形物２が浸漬されており、この造形物２に付着したサポート材は、内底部に組み付けた超音波振動子３により発生した超音波の作用で除去される。
【００１５】
４は処理槽１内に組み付けられた撹拌翼であって、処理槽１内の液（アルカリ水溶液又は水）１ａを撹拌することによりサポート材の除去効率を高める（請求項３）。
【００１６】
５は超音波発振器であって、前記超音波振動子３は、この発振器５により駆動される。
【００１７】
６は超音波処理槽１内への液１ａの供給ライン、７は排出ライン、８は処理槽１内の液１ａを自動温調するための温調手段である（請求項４）。なお、この超音波で除去がしにくい小孔や溝等にサポート材が付着している場合には、処理槽１内から造形物２を取り出した上で吸引ノズルを用いて除去する。
【図１】
2011005668.tif 000003
(57)【要約】【課題】上下開閉するストッパー付高低可変スタンドを車椅子テイッピングレバーに装着することにより車椅子座面が前方に傾斜を保持できる車椅子高低可変スタンドを提供する。【解決手段】固定管とスタンドの端部に軸を設け、固定管とストッパーレバーに引きバネを設け、固定管に軸を介しスタンドを開閉させるペダルを設けたことを特徴とする車椅子高低可変スタンド。【選択図】図４
2011005212.tif 000002
【特許請求の範囲】
【請求項１】
固定管とスタンドの端部に軸を設け、固定管とストッパーレバーに引きバネを設け、固定管に軸を介しスタンドを開閉させるペダルを設けたことを特徴とする車椅子高低可変スタンド。
【発明の詳細な説明】
【技術分野】
【０００１】本発明は、車椅子下部フレームティッピングレバーに上下開閉するストッパー付スタンドを設けた車椅子に関するものである。
【背景技術】
【０００２】従来、車椅子の座面を前方に傾斜できる装置付きの車椅子はなかった。
【発明の開示】
【発明が解決しょうとする課題】
【０００３】そのために、次のような問題点があった。
（イ）、車椅子から立ち上がるとき、座面が水平なために膝、腰に負担がかかり、高齢者は苦痛であった。
本発明は、これらの問題点を解決するためになされたものである。
【課題を解決するための手段】
【０００４】（イ）  固定管（２）、スタンド（１）が、それぞれの軸（３）を介し一体構造となる。
（ロ）  スタンド高さ調節は伸縮脚（４）で調節する。
（ハ）  スタンドを確実、スムースに開閉させるペダル（１２）と引きバネ（５）を固定管とストッパーレバー（１１）の一部に設ける。
（ニ）  ティッピングレバーに固定管を差し込み固定ネジ（６）で締め付け固定する。
（ホ）  スタンドを閉じ、立てた状態を保持、安定させるストツパーレバー（１１）を設ける。
以上を特徴とする車椅子高低可変スタンドである。
【発明の効果】
【０００５】本装置の使用により車椅子の後部が上がり座面が前方に傾斜する。
車椅子から立ち上がるとき膝腰に負担が少なくなり高齢者、介護者に負担が少なくなる。
【発明を実施するための最良の形態】
【０００６】以下本発明の実施の形態について説明する。
（イ）固定管、スタンドの端部に軸を設け一体構造とする。
（ロ）スタンドに高さ調節用の伸縮脚を設ける。
（ハ）スタンドを確実に開閉させるペタルを軸を介し固定管に装着。
（ニ）固定管と、ストッパーレバーとの一部に引きバネを設ける。
本発明は、以上のような構成でこれを使用するときは、固定管を車椅子ティツピングレバーに差し込み固定ネジで固定する。スタンド足掛けを地面に接触させ、足を足掛けに乗せ、片方の足をペダルに乗せ体重を掛け車椅子を手前に引く事によりスタンドが図（４）に示すように車椅子の後部が上がり座面が前方に傾斜を保持できる。ストッパーレバーを前方に押すことにより当たり（１０）と接触しスタンドが閉じた状態を保持できる。車椅子を元の状態に戻すときはストッパーレバーを解除し前方に車椅子を押す。引きバネ（５）の作用も加わりスタンドが開く。固定管をティッピングレバーに差し込み固定するだけで殆どの車椅子に装着利用できる。
【実施例１】
【０００７】足掛けに足を乗せ、片方の足をペダルに乗せ体重を掛け踏み込むことにより車椅子後部が上がり座面が前方に傾斜を保持できる。
車椅子からの立ち上がりに腰膝に負担が少なくなり高齢者、介護者も体の負担が少なくなる。
【図面の簡単な説明】
【０００８】
【図１】本発明のスタンドを地面に接触させペダルの図を省略した状態を示す側面図
【図２】本発明のスタンドが閉じストッパーが掛りペダルの図を省略した状態を示す側面図
【図３】本発明のスタンドが上方に折り畳んだ状態だけを示す側面図
【図４】本発明を車椅子ティッピングレバーに取り付けスタンドが閉じ車椅子後部が上がり座面が前方に傾斜した状態を示す側面図
【図５】固定管にペダルを装着しペダルを踏み込む前の状態を示す側面図
【図６】ペダルを踏み込みスタンドが閉じた状態を示す側面図
【符号の説明】
【０００９】  １  スタンド
２  固定管
３  軸
４  伸縮脚
５  引きバネ
６  固定ネジ
７  地板
８  足掛け
９  調整固定ネジ
１０  当たり
１１  ストッパーレバー
１２  ペダル
【図１】
2011005212.tif 000003
【図２】
2011005212.tif 000004
【図３】
2011005212.tif 000005
【図４】
2011005212.tif 000006
【図５】
2011005212.tif 000007
【図６】
2011005212.tif 000008
(57)【要約】      （修正有）【課題】一つのマクラで、夏は、水を入れて氷らしてマクラに、冬はお湯を入れてユタンポに、ふだんでもカセットタンクを氷らしておけば、水マクラに使用出来、一つのマクラで、三つの働らきが出来る。又病院等でも今迄の水マラと、違って、カセットタンクを冷蔵庫で、氷らしておけばすぐに使用できて便利で、しかも長持ちする、カセット式のマクラの提供。【解決手段】プラスチック、その他の素材で、外側に保温材で被いマクラの形ちを作り、中にカセットタンク２がは入る空洞をもうけ、中と外に冷気、温熱を伝える金属棒４を取付けて、外側に、活性炭、そば、抗菌、防カビその他の素材を入れた、クッションマット３を付けた。【選択図】図１
2011005214.tif 000002
【特許請求の範囲】
【請求項１】
従来のマクラを、カセット式にして、本体の素材をとわず、保温材で被い。中にカセットタンクがはいるように空洞をもうけた物。
【請求項２】
水を入れて、氷らしたり、温水を入れるタンク。
【請求項３】
金属棒、ネジ式で、タンクの冷気、暖気を外に伝える。
【請求項４】
金属棒の穴をあけたマットを作り、中には活性炭、そば、豆、抗菌、防カビ材等を入れた、クッションマット。
【発明の詳細な説明】
【発明の詳細な説明】
【０００１】本発明は１のマクラの形をしたもので、プラスチックその他の素材で作り、外側は、５の保温材で被い、中は、２のカセットタンクを出し入れする、空洞をもうけ、４の金属棒を取り付けて、タンクの冷気、暖気を外側に伝える。又頭部側の金属棒の穴を開けた。３のマットを作り中には、活性炭、そば、豆、等を入れて、湿気防止とクッションになる
夏は、冷気のマクラになり、冬は、湯タンポに使用し、熱が出た時氷りマクラとなり、一石三鳥の商品です。
【背景技術】
【０００２】従来のマクラは、活性炭入り、磁気マクラと色々あり、又取近では底反発ビロー等とありますが、すぐに温くもり回転したりしてもなかなか寝つかれなかった。又マクラはマクラしか使用出きず湯タンポは、冬のみで、氷りマクラは、熱下げのみで、又出し入れも大変で、長時間の使用が出来ず不便だった。
【発明の解決しようとする課題】
【０００４】昔から言われるように、頭と何とかわ冷す程良いと言われる。
そのためにわマクラも氷で冷やすのが一番で、現在の氷りマクラでは解けて長持ちしなかった。又マクラも同様で、温くもると寝ずらかった。
【解決手段】
【０００５】本発明により、カセットタンクを氷らしてマクラに、タンクにお湯を入れて湯タンポに、一つのマクラで、三つの働きをして、一年中出し入れする事なく、より快的に、しかも環境にやさしいまさに現代にピッタリの一石三鳥の商品です。
【図面の簡単な説明】
【図１】本体の断面図
【図２】本体とタンクの斜視図
【図３】金属棒の立面と平面図
【図４】マットの平面図と断面図
【図５】本体断面図
【符号の説明】１．本体で、プラスチックその他の素材で保温材で被った物。
２．カセットタンク、水を入れて氷らしてマクラに、又お湯を入れて湯タンポに使用出来る
３．活性炭、そば、石、その他の素材を入れて、抗菌  防カビ等をした。クッションマット。
４．金属棒で、中の冷気、暖気を外に伝える、ナット、キャプ等で個定する。
５  病院等の重病の人達に三箇所同じに冷す事の出来る装置。
【図１】
2011005214.tif 000003
【図２】
2011005214.tif 000004
【図３】
2011005214.tif 000005
【図４】
2011005214.tif 000006
【図５】
2011005214.tif 000007
(57)【要約】      （修正有）【課題】トマトの熱湯による皮向きを効率的に行うための補助具を提供する。【解決手段】４枚刃カッター３と円筒形のかご１と専用カップを有し、かご１の中にトマト８をヘタ部分が下になるように入れる。次にカッター３外縁部をカッターガイド２に合わせて下方にスライドさせて、トマトの果肉の半分程度まで刃４が切り込むよう取っ手６を押し込む。ハンドル７を持ってかご１をカップに収めた後、トマト８上面からトマト８上面が浸る状態になるまで熱湯を注ぐ。次いで、そのままカップに入れた状態で水にさらして冷やす。その後、カップから、かご１を引き上げ、取っ手６を最後まで押し下げてトマト８を四つに切断する。最後に、カッター３を、かご１から外し、４分割されたトマト８を引き出して素手で皮をむく。【選択図】図１
2011005213.tif 000002
【特許請求の範囲】
【請求項１】
十字型の４枚刃を有したカッターと、これらの４枚刃を縦にスライドさせるカッターガイドを周囲内側面に設けた、円筒形のかごと家庭用電気ポットを使用しての熱湯利用を可能にする専用カップの組み合わせによるトマト皮むき補助具。
【発明の詳細な説明】
【技術分野】
【０００１】  本発明は一般家庭で広く行われている熱湯によるトマトの皮むきに関するものである。
【背景技術】
【０００２】  従来、加熱水蒸気をトマトに照射させる方法があった（特許文献１参照）。
また、トマトの表面を金具でこすることにより皮をむく方法があった（特許文献２参照）。
【先行技術文献】
【０００３】
【特許文献１】  特開２００４−２４８５４８
【特許文献２】  特開２００５−０２８０９２
【発明の概要】
【発明が解決しようとする課題】
【０００４】  熱湯に頼らない皮むき具として近年様々な形状のトマトピラーが見受けられるが、やはり、皮むきの完成度は常圧熱湯によるものがすぐれている。しかしながら、この常圧熱湯方法を補助する専用具は皆無であった。
本発明は、以上の問題点を解決するためになされたものである。
【課題を解決するための手段】
【０００５】  十文字に結合した４枚刃に取っ手を付けた特殊カッターとこれを上下にスライドさせるためのカッターガイドを設け、さらに持ち運び用のハンドルを付けた円筒形のかご。この円筒形のかごを熱湯および冷水に浸すためのカップ。
以上の構成よりなるトマトの皮むき補助具。
【発明の効果】
【０００６】  従来、バラバラの道具を用いてなされていた皮むき前後の作業を、この補助具によって効率的に行うことができる。
【図面の簡単な説明】
【０００７】
【図１】本発明の斜視図
【図２】本発明の構成部品であるカッターの斜視図
【図３】本発明の構成部品であるカップの斜視図
【発明を実施するための最良の形態】
【０００８】  以下、本発明の実施の形態を説明する。
（イ）かご（１）の形状は、円筒形とし、円筒の内側にカッター（３）の外側部分をスラ      イドさせるためのカッターガイド（２）を４箇所設ける。
（ロ）かご（１）には持ち運びのためのハンドル（７）を設ける。
（ハ）カッター（３）は十文字に結合した４枚刃（４）から構成され、その上端にシャフ      ト（５）と取っ手（６）を設ける。
（ニ）取っ手（６）には、カッター（３）の食い込んだトマト上面中心部に、家庭用電気      ポットなどから熱湯が注げるように水通し穴（９）を数箇所設ける。
（ホ）カップ（１０）の大きさ・形状はかご（１）が余裕をもって収まる程度とする。
本発明は以上のような構造である。
本発明を使用するときは、かご（１）の中にトマト（８）をヘタ部分が下になるように入れる。次にカッター（３）外縁部をカッターガイド（２）に合わせて下方にスライドさせて、トマトの果肉の半分程度まで刃（４）が切り込むよう取っ手（６）を押し込む。
この状態でハンドル（７）を持ってかご（１）をカップ（１０）に収めた後、トマト（８）上面からヤカン或いは家庭用電気ポットを用いて、トマト（８）上面が浸る状態になるまで熱湯を注ぐ。次いで、そのままカップ（１０）に入れた状態で水にさらして冷やす。
その後、カップ（１０）から、かご（１）を引き上げ、取っ手（６）を最後まで押し下げてトマト（８）を四つに切断する。最後に、カッター（３）を、かご（１）から外し、４分割されたトマト（８）を引き出して素手で皮をむく。
【符号の説明】
【０００９】（１）かご、（２）スリット、（３）カッター、（４）刃、（５）シャフト、（６）取っ手、（７）ハンドル、（８）トマト  （９）水通し穴  （１０）カップ
【図１】
2011005213.tif 000003
【図２】
2011005213.tif 000004
【図３】
2011005213.tif 000005
(57)【要約】      （修正有）【課題】今迄の家具は、固定形状の商品が多く、自由がなくて夢がなかった。この発明により、今迄出来なかった、下穴付きで素人でも簡単に組立てられ、単体でも使用でき、部屋と好みに合せて色々な組み合わせパターンも楽しめる家具要素を提供する。【解決手段】短辺の二倍の長さの長辺を持つ側板１を二枚、側板の半分の寸法の天板２および地板２により、□字型ワクを、これに天板２を加えて日の字の箱を構成し、側板１および天板（地板）２にあけられた、蝶番用穴、引出し桟穴、棚下地穴、連結下地穴を利用して、盲建具、ガラス入り建具、引出し、棚板等を取り付け、さらに色々なパターンに組み合わせる。【選択図】図１
2011005215.tif 000002
【特許請求の範囲】
【請求項１】
日の字ワクと□ワクを、横の寸法の倍数を立の寸法にした物で、そのワク板に、建具丁板、棚板、引出し、接続等の下穴をあけた箱。
又□ワクの分は、裏板付きと、裏板なしの２種類
【請求項２】
建具は、中の見えない盲ら戸と、ガラス入りの２種類で、上下の向きを変えると、左右関係なく使用出来る。
【請求項３】
天板と台輪を、ツーバイのワクに合せた色々な寸法で作る。
【発明の詳細な説明】
【発明の詳細な説明】
【０００１】本発明は、立横の倍数の、日の字ワクと、□ワクを作り、立横組合せ部屋に合せて色々な組合せで楽しめる。又建具も、盲戸と、ガラス入の２種類で、このみに合せて楽しめ、□ワクだけの空間も楽しめる。
【背景技術】
【０００２】従来の家具は個定商品が多く、自由な組合せが出来ず、建具、引出し棚、等も変更する事が出来なかった。
【発明が解決しようとする課題】
【０００３】本発明により図１〜図４の１〜７の部材の組合せによって今迄で出来なかった、何十種類の組合せが楽しめる。又素人でも下穴があるために簡単に、組立が出来るまったく新しい家具です。
【図面の簡単な説明】
【図１】正面図で、日の字の箱と、□ワクの箱、右は上下の展開図です。
【図２】側面図で、＋印は、建具丁板、棚、引出し、連結等の下穴です。
【図３】正面図で、盲戸、ガラス戸で、上下変えれば、左右に使える。
【図４】正面図で、天板と、台輪、右は引出し。
【図５】完成図で、色々な組合せパターンの例。
【符号の説明】１．長手の側板  短い方の倍の寸法で、下穴をあけた板。
2011005215.tif 000003
３．盲戸、ガラス戸。４種類の建具で、立横両方使える。
４．引出し。        １種類でどのマスでも使える。
５  裏板。          日の字箱、□ワクに使用。
６  天板。          ツーバイ箱に合せた  色々な寸法で作る。
７  台輪            ツーバイ箱に合せた  色々な寸法で作る。
【図１】
2011005215.tif 000004
【図２】
2011005215.tif 000005
【図３】
2011005215.tif 000006
【図４】
2011005215.tif 000007
【図５】
2011005215.tif 000008
(57)【要約】      （修正有）【課題】遠赤外線とラジウムを放出させ、身体内深部を昇温して治療すること。さらに家庭に居ながら手軽に何度でも繰り返し使える経済的な温熱治療具を提供する。【解決手段】秋田県二ツ井町七折山の天然硬質ゼオライトを厚さ１０ｍｍ〜２０ｍｍの平板状に加工した温熱治療具である。この治療具をタオルに包み電子レンジで７０℃程度に加熱して患部付近の表皮に当てて治療を行う。【選択図】なし【特許請求の範囲】
【請求項１】
天然硬質ゼオライト岩を厚さ１０ｍｍ〜２０ｍｍの平板状に加工したことを特徴とする温熱治療具
【発明の詳細な説明】
【技術分野】
【０００１】本発明は温熱治療具に関する。
【背景技術】
【０００２】従来腰痛や肩こりなどの痛みを和らげる効果のある温熱治療具は、筋肉に熱を与え一時的に痛みを緩和する温熱治療具である。特許文献１に石とヒーターを組み合わせた温熱治療具も過去に提案されている。
【先行技術文献】
【特許文献】
【０００３】
【特許文献１】特開平１１−４７１８１
【発明の概要】
【発明が解決しようとする課題】
【０００４】本発明は遠赤外線とラジウムを放出させ、身体内深部を昇温して治療すること。
さらに家庭に居ながら手軽に何度でも繰り返し使える経済的な温熱治療具を提供することを目的とした
【課題を解決するための手段】
【０００５】本発明は、天然硬質ゼオライトを厚さ１０ｍｍ〜２０ｍｍの平板状に加工したことを特徴とする温熱治療具である。
【発明の効果】
【０００６】この平板状に加工したゼオライトの内部には結晶水が含まれており、電子レンジで加熱することにより繰り返し何度でも使える。また加熱したゼオライトが放射する遠赤外線とラジウムは身体内深部を昇温して効率よく治療効果を上げる。
【発明を実施するための形態】
【０００７】本発明は秋田県二ツ井町七折山より産出される高純度の硬質ゼオライトを使用する。ひび割れ、石の目、そして不純物の少ない１ｍ四方大の塊を選び出し、これを厚さ１０ｍｍ〜２０ｍｍ、縦×横を５０ｍｍ〜１５０ｍｍ四方にそれぞれダイヤソーを使い切断加工する。
【０００８】本発明に係る治療具をタオルに包み電子レンジで７０℃程度に加熱して患部付近の表皮に当てて治療を行う。この際、熱すぎる場合にはタオルなどで治療具全体を覆うようにする。腰痛の治療に使い早いものでは一日から数日で痛みを緩和した、また継続することにより持続的に治療効果が得られた。これは、遠赤外線とラジウムの効果により患部内深部を温熱治療したためである。
(57)【要約】【課題】  ホースを巻き取る際、どうしても手が砂で汚れていたので、手を汚さないでホースを巻き取れるようにする。【解決手段】  蝶つがい１を使い、器具を開いてホースを挟み込み固定し、円筒状の器具を持ってホースを手を汚さずに巻き取ることができ、ブラシ２で取れた砂が筒の中にたまるようにする。【構成】  本体に蝶つがい１とブラシ２を取り付け、本体をプラスチック製にする。蝶つがい１で本体を開くようにし、ホースを挟み込み固定し、手を汚さずに巻き取り、ブラシ２で砂を除去する。【選択図】図１
2011005204.tif 000002
【特許請求の範囲】
【請求項１】
ホースを巻き取る際に、蝶つがい１を利用して開く器具にホースをはめ込み、固定して、手で持ちやすい円筒状の器具を持ち、ホースを巻き取り、手を汚さずブラシ２の部分で砂を除去する器具。
【発明の詳細な説明】
【技術分野】
【０００１】  本発明は、手で持ちやすいように器具を円筒状にし、手を汚さずにホースを巻き取ることができ、ブラシ２で砂を除去するようになっている。
【発明が解決しようとする課題】
【０００２】  ホースを巻き取る際に手が砂で汚れてしまうこと。
【課題を解決するための手段】
円筒状の器具を蝶つがい１を使って開き、ホースを挟み込み固定し、手を汚さずにホースを巻き取って、ブラシ２で砂を除去する。
【発明の効果】
このようにすれば、手を汚さずホースを巻き取ることができ、簡単に砂を除去することができる。
【図面の簡単な説明】
【図１】  器具の全体図
【図２】  開いた器具の全体図
【図３】  器具の断面図
【符号の説明】１  蝶つがい
２  ブラシ
【図１】
2011005204.tif 000003
【図２】
2011005204.tif 000004
【図３】
2011005204.tif 000005